(57)【要約】【課題】負荷が接続されている場合にのみ駆動用電圧が印加され、電源スイッチの操作が不要で感電の恐れが少ない安全な給電装置を提供する。【解決手段】この給電装置１の制御手段２０は検出用電圧出力回路７ａを制御し、負荷が接続されていない状態で人体に危険のない検出用電圧Ｖ１を出力して負荷を駆動し、検出器３０により所定のタイミングで検出電圧を測定する。制御手段の制御により、Ｖ２検出器が人体が接触した誤検知の検出電圧Ｖ２を検出した場合には駆動用電圧Ｖは出力しない。Ｖ３検出器が負荷の検出電圧Ｖ３を検出した場合には駆動用電圧Ｖが出力されて負荷の駆動が始まる。Ｖ４検出器がショートの検出信号Ｖ４を検出した場合には電源が直ちにＯＦＦとされる。【選択図】図２
2013257778.tif 000002
【特許請求の範囲】
【請求項１】
負荷に電極を介して給電を行う給電装置において、
負荷が接続されていない状態で人体に危険のない検出用電圧を出力する検出用電圧出力手段と、前記検出用電圧の出力に対して所定のタイミングで検出電圧を測定する検出電圧測定手段と、前記検出電圧に基づいて、負荷が接続されているか否かを判別するとともに、負荷が接続されている場合には当該負荷が正規の負荷又は人体の何れか一方であるかを判別し、人体と判別した場合には前記電極に駆動用電圧を出力せず、正規の負荷と判別した場合には前記電極に駆動用電圧を出力するように制御する制御手段とを有することを特徴とする給電装置。
【請求項２】
前記制御手段は、前記検出電圧に基づいて前記電極のショートを判別した場合には前記給電装置の電源を切ることを特徴とする請求項１記載の給電装置。
【請求項３】
前記制御手段は、正規の負荷に駆動用電圧を出力している間に検出される所定の駆動時検出電圧が検出されなくなった場合に、前記検出用電圧の出力を開始することを特徴とする請求項２記載の給電装置。
【発明の詳細な説明】
【技術分野】
【０００１】
本発明は、負荷を着脱可能に接続して給電を行う給電装置において、正規の負荷が接続されている場合にのみ駆動用電圧が印加されるため、電源スイッチの操作が不要であり、感電の恐れが少ない安全な給電装置に関するものである。
【背景技術】
【０００２】
本願発明者等は、例えばシート状の発光体を自由な位置に差し込んで給電するために、長いコイル状の端子を有する給電装置を研究開発しているが、その研究開発の中で、ユーザの不注意による感電事故を防止する必要性に気付き、負荷が取り付けられている時にのみ給電が行なわれるような安全性の高い給電装置を開発する目的を得るに至った。
【０００３】
照明装置等の負荷に給電装置を接続して給電を行う場合、負荷と給電装置を接続導通させるための手段としては、従来次のような２種類の構造が一般的に知られていた。第１に、１対１の関係で負荷と給電装置を着脱可能に接続する構造である。このような接続手段としては、簡易な抜き差し操作によって負荷と給電装置を任意に着脱できるコネクター構造が知られている。
【０００４】
第２に、複数（ｎ個）の負荷を一つの給電装置に対して着脱可能に同時に接続する構造である。このような接続手段としては、例えば次のような給電装置が知られている。すなわち、この給電装置は壁面や天井に取り付けられるレール状の端子を備えており、このレール状の端子の所望の位置に複数の照明等の負荷をスライド自在に装着して同時に給電することができ、照明等の配置の自由度が高いことから店舗等で多用されている。
【０００５】
また、下記特許文献１には、電動門扉の給電装置において、感電を防止し安全性を向上させるための発明が開示されている。この発明の給電装置は、電動門扉において移動側である戸当り移動柱に受電端子が設けられ、固定側である戸当り柱には給電端子が設けられ、給電端子から受電端子を介して戸当り移動柱に設けたバッテリに給電する。そして、給電端子１１、トランス１２及びモーションセンサ１４、また、一次電源１５が制御装置７０に接続されており、この制御装置７０は、モーションセンサ１４のＯＮ、ＯＦＦにより給電端子１１への電圧の付与を制御する制御部７１と、制御部７１からの信号によりトランス１２への電圧の付与を制御する給電制御回路７２を有している。そして、モーションセンサ１４が戸当り移動柱を検知している時には給電端子１１に電圧を付与し、戸当り移動柱が非検知の時には給電端子１１に電圧を付与しないように制御することにより、端子との接触における感電を防止して安全性を向上させ、給電中は効率良くバッテリに充電できることを目指している。
【先行技術文献】
【特許文献】
【０００６】
【特許文献１】特開２００７−２７０４８２号公報
【発明の概要】
【発明が解決しようとする課題】
【０００７】
前述した従来のコネクターのように、負荷と給電装置を１対１の関係で着脱する構造では、複数の負荷を使用する場合には、複数の負荷と給電装置との接続ごとに電源スイッチを用意しておき、これら複数の電源スイッチを個別に操作しなければならないという煩雑さがあった。
【０００８】
また、複数の負荷を一つの給電装置に対してｎ対１の関係で接続する構造では、給電装置の側において給電のＯＮ／ＯＦＦについてオペレータが電源スイッチによって一元管理を行う必要があるという煩雑さがあった。このｎ対１の関係で接続する構造では、常時通電状態にしておく方法も考えられるが、その場合には常時給電状態であることによる感電の危険性があり、また電源スイッチのＯＮ／ＯＦＦの誤操作による危険性も考えられる。
【０００９】
また、上記特許文献１に記載された給電装置の発明によれば、モーションセンサ１４が戸当り移動柱を検知している時にだけ給電端子１１に電圧を付与するようにして事故を防ぐものとしてはいるが、屋外の天候等やその他の状況によっては、また人為的な画策等があった場合には、移動する戸当り移動柱をモーションセンサが実際に検知できない場合も考えられ、給電の可否についての安全な制御が必ずしも確実とはいえないという問題があり、また制御装置の他にモーションセンサを設けるコストが少なくないという問題もあった。
【００１０】
本発明は、以上説明したような課題を解決することを目的としており、簡単かつ確実な構造により、正規の負荷が接続されている場合にのみ駆動用電圧が印加されるため、電源スイッチの操作が不要であり、感電の恐れが少ない安全な給電装置を提供することを目的としている。
【課題を解決するための手段】
【００１１】
請求項１に記載された給電装置は、
負荷に電極を介して給電を行う給電装置において、
負荷が接続されていない状態で人体に危険のない検出用電圧を出力する検出用電圧出力手段と、前記検出用電圧の出力に対して所定のタイミングで検出電圧を測定する検出電圧測定手段と、前記検出電圧に基づいて、負荷が接続されているか否かを判別するとともに、負荷が接続されている場合には当該負荷が正規の負荷又は人体の何れか一方であるかを判別し、人体と判別した場合には前記電極に駆動用電圧を出力せず、正規の負荷と判別した場合には前記電極に駆動用電圧を出力するように制御する制御手段とを有することを特徴としている。
【００１２】
請求項２に記載された給電装置は、請求項１記載の給電装置において、
前記制御手段が、前記検出電圧に基づいて前記電極のショートを判別した場合には前記給電装置の電源を切ることを特徴としている。
【００１３】
請求項３に記載された給電装置は、請求項２記載の給電装置において、
前記制御手段が、正規の負荷に駆動用電圧を出力している間に検出される所定の駆動時検出電圧が検出されなくなった場合に、前記検出用電圧の出力を開始することを特徴としている。
【発明の効果】
【００１４】
請求項１に記載された給電装置によれば、電極に負荷が接続されていない状況では、検出用電圧出力手段から負荷をセンシングするための検出用電圧が所定時間間隔で出力され、給電装置の負荷状況を調べる。この検出用電圧は人体に危険のない低いものであるため、この検出の間に使用者が誤って給電装置の電極に触れても感電することはない。給電装置の検出電圧測定手段は、この検出用電圧の出力に対して所定のタイミングで検出電圧を測定している。制御手段は、検出電圧測定手段が測定した検出電圧の大きさに基づいて負荷が接続されているか否かを判別し、負荷が接続されていない場合には検出用電圧によるセンシングを続行させる。また、負荷が接続されていると判別した場合には、その負荷が正規の負荷又は人体の何れか一方であるかを判別する。そして、人体と判別した場合には駆動用電圧を出力せず、感電を避ける。また、正規の負荷と判別した場合には、駆動用電圧を出力して負荷の運転を行なう。
【００１５】
請求項２に記載された給電装置によれば、制御手段は、検出電圧の大きさに基づいてショートが判別された場合には、給電装置の電源を切るので、感電、発火等の危険を未然に回避することができる。
【００１６】
請求項３に記載された給電装置によれば、制御手段は、正規の負荷に駆動用電圧を出力している間に、所定の駆動時検出電圧が検出されなくなった場合には、正規の負荷が給電装置から外されたものとして、駆動用電圧に代えて検出用電圧出力手段による検出用電圧の出力を開始し、給電装置の負荷状況のセンシングに入る。
【００１７】
なお、本発明の給電装置においては、前記検出用電圧をＶ１、人体の前記検出電圧をＶ２、正規負荷の前記検出電圧をＶ３、ショートの前記検出電圧をＶ４とすると、その大きさの関係は、印加される検出用電圧Ｖ１の立ち上がりから経過したサンプリング時間が比較的短い場合にはＶ１＞Ｖ４＞Ｖ３＞Ｖ２となることもあるし、同サンプリング時間が比較的長くなると、Ｖ１＞Ｖ４＞Ｖ２＞Ｖ３となる場合もある。サンプリング時間によってＶ２とＶ３の大小が逆転する場合があるのは、正規負荷である例えば無機ＥＬは容量性を持つため、人体の場合と異なり立ち上がりが急激であり、サンプリングのタイミングが早いと人体の検出電圧Ｖ２よりも高いが、サンプリングのタイミングが遅いと人体の検出電圧Ｖ２よりも低くなる場合があるからである。検出用電圧Ｖ１の出力タイミングから所定のサンプリング時間経過後に、検出電圧の値を測定し、これと検出用電圧Ｖ１との差分をとれば、その値から当該検出電圧がＶ２、Ｖ３、Ｖ４のいずれに当たるのかが判断でき、人体による感電、正規負荷の接続又はショートのいずれが発生したかを判別して、上述したような制御を行うことができる。
【図面の簡単な説明】
【００１８】
【図１】正規の負荷であるシート状発光体に、本発明の実施形態に係る給電装置を用いて給電を行なう場合の全体構成を模式的に示す図である。
【図２】本実施形態の給電装置の構成を示す機能ブロック図である。
【図３】本実施形態の給電装置で使用されるＶｎ検出器の構成を示す機能ブロック図である。
【図４】本実施形態の給電装置の制御機能を示す作動タイミング図である。
【図５】本実施形態の給電装置における負荷検出の説明図であって、負荷検出時に出力される検出用信号と３種類の検出信号の関係を示す波形図である。
【図６】本実施形態の給電装置における負荷検出の制御手順を示す流れ図である。
【発明を実施するための形態】
【００１９】
図１〜図６を参照して実施形態の給電装置１を説明する。
本実施形態では、給電装置１によって給電する対象である負荷の一例として無機ＥＬであるシート状発光体２を挙げる。給電装置１は、このシート状発光体２を所望の位置に保持し、給電を行なうことができる。
【００２０】
図１に示すように、本実施形態のシート状発光体２はシート状の無機ＥＬ素子であり、表示面乃至発光面である矩形のシート部の一辺側には２個の電極２ａ，２ｂが設けられている。
【００２１】
図１の全体構成図に示すように、本実施形態の給電装置１は、シート状発光体２を任意の位置において挟んで保持するとともに、当該シート状発光体２の電極２ａ，２ｂに電気的に接続される螺旋状の構造を備えた長体状の給電部３を有している。長体状の給電部３は、シート状発光体２の２つの電極２ａ，２ｂに対応するように一対で一組とされており、それぞれ螺旋状の絶縁体４と、絶縁体４の内部に設けられた螺旋状の電極５から構成されている。ここで、絶縁体４は螺旋状に巻かれた絶縁性の線材で構成されており、電極５は螺旋状に巻かれた導電性の線材で構成されている。本実施形態の給電装置１では、絶縁体４と電極５の螺旋状は引張コイルばね又は圧縮コイルばねの巻き構造と実質的に同一であり、ばねとしての寸法・形状等は線材間にシート状発光体２を挟み込んで保持できるようなものであればよい。このように、給電部３は螺旋状の長体であるため、壁、天井、床等に自由なパターンで配設することができ、また２点間に吊るして設置することもできる。そして、シート状発光体２は、そのように配設した給電部３の任意の位置に挟み込んで取り付けることができるため、配置の自由度が高い。
【００２２】
図１に示すように、給電部３の２つの電極５，５は、給電装置１の２つの出力端子６，６にそれぞれ接続されている。そして図２に示すように、この給電装置１の内部において、２つの出力端子６，６は制御手段２０に接続されている。この制御手段２０は、センシング用の検出用電圧Ｖ１を出力端子６から選択的に出力する検出用電圧出力手段としての検出用電圧出力回路７ａを有している。さらに制御手段２０は、後述する検出電圧測定手段である各検出器３０、３０’の検出結果に応じ、電極５に負荷等が接続されているか否かを判断し、電極５に接続されている負荷等の種類又は電極５にてショートが発生したか否かについて判断する機能を備えるとともに、これら判断結果に応じて後述する駆動用電圧Ｖを出力端子６から選択的に出力する駆動用電圧出力回路７ｂを備えている。
【００２３】
図２の機能ブロック図に示すように、給電装置１の出力端子６，６の一方には抵抗Ｒが直列に接続されており、その両端に合計４個の検出器３０、３０’、すなわち誤検知（人体の感電）を検出するＶ２検出器３０、正規の負荷を検出するＶ３検出器３０、ショート（短絡）を検出するＶ４検出器３０及び負荷駆動状態を検出するＶ５検出器３０’が、それぞれ並列に接続されている。これら各検出器３０、３０’が、前述した検出用電圧Ｖ１を負荷に与えることで得られる検出電圧を測定するための検出電圧測定手段である。これら４つの検出器３０、３０’のうち、Ｖ２検出器３０、Ｖ３検出器３０、Ｖ４検出器３０には検出電圧の判断タイミングを計るために、タイマー８からタイミング信号がそれぞれ入力されるようになっており、すべての検出器３０、３０’の各出力は制御手段２０に出力されるようになっている。従って、検出電圧を測定するために必要とされる抵抗Ｒ及びタイマー８も検出電圧測定手段の一部を構成する要素である。
【００２４】
図３は、３つの検出器３０、すなわちＶ２検出器３０、Ｖ３検出器３０、Ｖ４検出器３０をＶｎ検出器と総称し、その内部構造を示したものである。この検出器３０によれば、抵抗Ｒの両端の電位が微小電圧増幅回路９で増幅され、この微小電圧増幅回路９からの増幅電圧と、基準電圧発生回路１０が与える所定の基準電圧から、比較器１１が比較信号を出力する。一方、タイマー８から入力されたタイミング信号は遅延回路１２に入力され、所定の遅延タイミングで遅延信号を出力する。そして、ＡＮＤ回路によって構成されるサンプリング回路１３により、比較信号と遅延信号から生成される出力がＶｎ検出器３０の出力である検出電圧Ｖ２、Ｖ３、Ｖ４として制御手段２０に与えられる。なお、Ｖ５検出器３０’の内部構造は特に図示しないが、遅延回路１２とサンプリング回路１３がない他は図３の構造と同じであり、比較器１１の出力がそのまま制御手段２０に検出電圧Ｖ５として与えられるようになっている。
【００２５】
なお、本実施形態の給電装置１では、前記検出用電圧Ｖ１と各検出電圧Ｖ２、Ｖ３、Ｖ４の大きさの関係は、印加される検出用電圧Ｖ１の立ち上がりから経過したサンプリング時間が比較的短い場合にはＶ１＞Ｖ４＞Ｖ３＞Ｖ２となることもあるが、同サンプリング時間が比較的長くなると、Ｖ１＞Ｖ４＞Ｖ２＞Ｖ３となる場合もある。これは正規負荷である例えば無機ＥＬは容量性を持つため、人体の場合と異なり検出電圧の立ち上がりが急激であり、サンプリングのタイミングによって検出電圧Ｖ３の大きさが異なってくるからである。いずれにしても、実際の正規負荷による検出電圧Ｖ３とサンプリング時間との関係を考慮に入れた上で、検出用電圧Ｖ１の出力タイミングから所定の微小時間経過後に検出電圧の値を測定し、この検出電圧と検出用電圧Ｖ１との差分をとれば、その値から当該検出電圧がＶ２、Ｖ３、Ｖ４のいずれに当たるのかが判断でき、人体による感電、正規負荷の接続又はショートのいずれが発生したか、又はいずれも発生していないかを判別することができる。
【００２６】
図４は給電装置１の制御機能を示す作動タイミング図であるが、この図に示すように、制御手段２０の検出用電圧出力回路７ａは、無負荷状態においては、パルス状の検出用電圧Ｖ１を所定時間間隔で出力している。これは、無負荷時に誤って人が電極に触れているときには所定の駆動用電圧Ｖを印加しないようにする。
【００２７】
図４中に示すように、正規の負荷であるシート状発光体２が給電装置１にすでに接続されており、駆動用電圧Ｖが電極５，５に印加されて当該シート状発光体２が発光している場合には、図２に示すＶ５検出器３０’は、駆動用電圧Ｖに対応する検出電圧である駆動時検出電圧Ｖ５を検出している。この駆動時検出電圧Ｖ５は制御手段２０に供給されており、従って制御手段２０は電圧出力回路７ｂが駆動用電圧Ｖを現在給電中であることが把握できるため出力電圧をＶで維持し、これを変更することはない。
【００２８】
図４に示すように、この検出用電圧Ｖ１は駆動用電圧Ｖよりも小さい。これは、制御手段２０の検出用電圧出力回路７ａがが無負荷状態でパルス状の検出用電圧Ｖ１を出力している際、電極５に人が触れても感電しないようにするためである。人体の抵抗値は、通常数ｋΩ程度である。また、一般に人体に流れても危険を伴わない（又は感じない）電流は０．５ｍＡ以下であると言われている。そこで、人体の検出は、このような人体の比較的低い導電性を使用し、対接地間容量は使用しないこととする。これよれば、検出用電圧Ｖ１は、Ｉ×Ｒ＝０．５ｍＡ×５ｋΩ＝２．５Ｖ以下であれば人体は電気を感じることはないと考えられる。これは乾電池２本以下の電圧である。このような考えにより、本実施形態ではＤＣ２Ｖを検出用電圧Ｖ１とした。
【００２９】
図４に示すように、無負荷状態で検出用電圧Ｖ１が出力されている時、電極５に人体の接触があった場合には、図２に示すＶ２検出器３０は検出電圧Ｖ２を検出する。この検出電圧Ｖ２は制御手段２０に供給され、制御手段２０は駆動用電圧出力回路７ｂが駆動用電圧Ｖを出力しないように制御し、電極５に触れている人物の感電を避ける。
【００３０】
図４に示すように、無負荷状態で検出用電圧Ｖ１が出力されている時、正規の負荷であるシート状発光体２が電極５に接続された場合には、図２に示すＶ３検出器３０は検出電圧Ｖ３を検出する。この検出電圧Ｖ３は制御手段２０に供給され、制御手段２０は駆動用電圧出力回路７ｂを制御し、これに応じて駆動電源をＯＮとし、駆動用電圧Ｖを出力して当該シート状発光体２に電力を供給して発光させる。
【００３１】
このように、負荷検出後は、制御手段２０の駆動用電圧出力回路７ｂは駆動用電圧Ｖを印加するが、駆動用電圧Ｖを印加している間は、駆動時検出電圧Ｖ５を常時検出することにより負荷の有無を判定し、この駆動時検出電圧Ｖ５が検出不可状態になった場合は、負荷が外されたものとして駆動用電圧Ｖの印加を停止し、検出用電圧Ｖ１の印加を再開して負荷の有無状態を調べる状態に戻る。
【００３２】
図４に示すように、無負荷状態で検出用電圧Ｖ１が出力されている時、何らかの原因で電極５，５間にショート（短絡）が発生することが考えられる。例えば、正規の負荷ではない導電体が作為的に電極５，５間に差し込まれたり、電極５，５間が水分等によって導通したりする場合である。このような場合には、図２に示すＶ４検出器３０は検出電圧Ｖ４を検出する。この検出電圧Ｖ４は制御手段２０に供給され、制御手段２０はこれに応じて駆動電源をＯＦＦとしてショートによる事故の拡大を防止する。
【００３３】
次に、以上説明した給電装置１の制御機能において、Ｖ２〜Ｖ４検出器３０が検出用電圧Ｖ１に対して異なる検出電圧Ｖ２〜Ｖ４を出力する作用について、図５の波形図を参照して説明する。
図５において、最上段である第１段は検出用電圧Ｖ１を示している。検出用電圧Ｖ１の電圧値Ｖ１は、検出用電圧Ｖ１の立ち上がりからタイマー８によって与えられる検出タイミング時間Ｔ３が経過した時点Ｐ１で到達する値であり、Ｔ３は例えば数μｓ〜数十μｓ程度である。また検出用電圧Ｖ１は、出力時間Ｔ２が例えば１ｍｓ〜１００ｍｓ程度の矩形波であり、検出サイクルＴ１は例えば１００ｍｓ〜１ｓｅｃ程度である。
【００３４】
図５において、第２段は、電極５に人体が接触している際の誤検知電圧である検出電圧Ｖ２を示している。検出電圧Ｖ２の電圧値Ｖ２は、検出用電圧Ｖ１の立ち上がりから検出タイミング時間Ｔ３が経過した時点Ｐ２で到達する値であり、検出用電圧Ｖ１と同様の矩形波であるが、人体の抵抗値によりＶ１よりも小さくなる。
【００３５】
図５において、第３段は、正規の負荷であるシート状発光体２が電極５に接続された場合の負荷検知電圧である検出電圧Ｖ３を示している。検出電圧Ｖ３の電圧値Ｖ３は、検出用電圧Ｖ１の立ち上がりから検出タイミング時間Ｔ３が経過した時点Ｐ３で到達する値である。シート状発光体２である無機ＥＬは容量性を持っているため、上述した人体の場合と異なり、検出用電圧を印加してもすぐには応答せず、他と比べて立ち上がりが緩慢であるため、本実施形態で設定した前記検出タイミング時間Ｔ３での値は最も小さく、これによって他の検出電圧と区別することができる。但し、前述したように、タイミング時間３がこれよりも長くなると、負荷検知電圧である検出電圧Ｖ３の方が誤検知電圧である検出電圧Ｖ２よりも大きくなる場合もある。
【００３６】
図５において、最下段である第４段は、電極５でショート（短絡）が起きた場合の負荷検知電圧である検出電圧Ｖ４を示している。検出電圧Ｖ４の電圧値Ｖ４は、検出用電圧Ｖ１の立ち上がりから検出タイミング時間Ｔ３が経過した時点Ｐ４で到達する値である。ショートが発生した場合の検出電圧Ｖ４は、検出用電圧Ｖ１と同様の矩形波になるが、ショート時の抵抗は低いために電圧値Ｖ４は、人体検知時の検出電圧Ｖ２や負荷検出時の検出電圧Ｖ３よりも大きくなり、これによって他の検出電圧と区別することができる。
【００３７】
このように、各検出電圧Ｖ２〜Ｖ４は、検出対象となる負荷乃至現象によって検出用電圧Ｖ１と比較した場合の大きさが異なり、その大きさの関係は、前述したようにサンプリングのタイミングにもよるが、例えばＶ１＞Ｖ４＞Ｖ３＞Ｖ２となっている。従って、制御手段２０は、各検出器３０から入力される電圧値から当該検出電圧がＶ２、Ｖ３、Ｖ４のいずれに当たるのかが判断でき、人体による感電、正規負荷の接続又はショートのいずれが発生したかを判別して、前述したような制御を行うことができる。
なお、以上の説明では１回のサンプリングで得た各検出電圧の値の大小から発生した事象の識別をしていたが、例えば検出用電圧Ｖ１のパルス内において異なるタイミングで２回のサンプリングを行なえば、負荷の検出電圧Ｖ３は後のタイミングほど値が増大するので、容易に他の電圧と識別することができる。
【００３８】
次に、本実施形態の給電装置１による負荷等に応じた給電制御について図６を参照して説明する。
給電装置１の電源を入れ（Ｓ１）、タイマー８がＯＮになると（Ｓ２）、検出動作が開始される（Ｓ３）。すなわち、制御手段２０は検出用電圧出力回路７ａによって検出用電圧Ｖ１を所定の負荷検出サイクルＴ１で電極５に出力し、Ｖ２〜Ｖ５検出器３０，３０’から各検出電圧Ｖ２〜Ｖ５が入力されてくるのを待つ。
【００３９】
制御手段２０は、Ｖ３検出器３０から検出電圧Ｖ３が入力されると（Ｓ４）、駆動電源をＯＮとして駆動用電圧出力回路７ｂによって駆動用電圧Ｖを電極５に出力する（Ｓ５）。これによって、電極５に接続された正規の負荷であるシート状発光体２が発光する。シート状発光体２の接続を検出して駆動用電圧Ｖで駆動を開始した後は、給電装置１は駆動用電圧Ｖに対応する駆動時検出電圧Ｖ５を常時監視している（Ｓ６）。制御手段２０は、この駆動時検出電圧Ｖ５が検出されなくなったら（Ｓ６、Ｎ）、シート状発光体２が電極５から取り外されたものとして駆動電源をＯＦＦとし（Ｓ７）、再び検出用電圧Ｖ１による検出動作を開始する。
【００４０】
検出動作中、人体が電極５に触れ、検出電圧Ｖ２が検出される誤検出があった場合（Ｓ８、Ｙ）には、制御手段２０は駆動電源をＯＮとすることなく、再び検出用電圧Ｖ１による検出動作を開始する。電極５に触れた人物が感電することはない。
【００４１】
検出動作中、何らかの理由で電極５にショートが起きた場合（Ｓ９、Ｙ）、制御手段２０は直ちに電源をＯＦＦとしてショートによる被害の発生乃至増大を未然に防止する（Ｓ１０）。
【００４２】
誤検出があった場合及びなかった場合（Ｓ８、Ｎ又はＹ）、ショートの検出がない場合（Ｓ９、Ｎ）、正規の負荷の検出がない場合（Ｓ４、Ｎ）、また駆動用電圧Ｖで正規の負荷を駆動中に負荷が給電装置１から外されて電源がＯＦＦとなった場合（Ｓ７）には、給電装置１の制御手段２０は検出用電圧Ｖ１による検出動作を続行する。
【００４３】
以上説明したように、本実施形態の給電装置１によれば、電源スイッチの切り忘れによる駆動電源の遮断ミスを確実に無くすことができ、特に複数の負荷を単一の給電装置１で給電管理するｎ対１の場合に有効であり、負荷がない場合には駆動用電圧を印加しないので電力の無駄な消費がなく、また人が活電部に触れても感電の危険がない。また、負荷を接続した場合には自動的に駆動用電圧が印可されるので電源スイッチの操作が不要であり、使用上の利便性が高い。
【００４４】
なお、以上説明した実施形態では、給電装置１の電極５は螺旋状の構造を備えた長体状であり、任意の位置にシート状発光体２を挟んで発光させるもので、負荷と給電装置１がｎ対１の関係であったが、複数の負荷を取り付ける電極５は螺旋状のものに限らず、スライドレール状その他の構造のものでもよい。また、本発明は１対１の関係の場合にも適用できることは言うまでもない。また、本実施形態の負荷としてシート状発光体２を例示したが、もちろん負荷は発光素子に限るものでもないし、シート状といった形態に限るものでもない。
【符号の説明】
【００４５】
１…給電装置
２…正規の負荷であるシート状発光体
３…給電部
４…絶縁体
５…電極
７ａ…検出用電圧出力手段としての検出用電圧出力回路
７ｂ…駆動用電圧出力回路
８…検出電圧測定手段の一部を構成するタイマー
３０，３０’…検出電圧測定手段としての検出器
Ｒ…検出電圧測定手段の一部を構成する抵抗
Ｖ…駆動用電圧
Ｖ１…検出用電圧
Ｖ２…誤検知（人体検知）の検出電圧
Ｖ３…負荷の検出電圧
Ｖ４…短絡の検出電圧
Ｖ５…駆動時検出電圧
【図１】
2013257778.tif 000003
【図２】
2013257778.tif 000004
【図３】
2013257778.tif 000005
【図４】
2013257778.tif 000006
【図５】
2013257778.tif 000007
【図６】
2013257778.tif 000008